(57)【特許請求の範囲】
【請求項１】
建物の開口に設けられシャッター板の両側端部を昇降自在に支持するガイドレールを有するシャッター枠と、このシャッター枠の上部に設けられシャッター板を巻取り収納するシャッターボックスとを備え、前記シャッター板は多数枚のスラットのうちの閉鎖時の開口高さ方向中間領域に位置する何枚かは押し出し成形品の高強度スラットとされ、シャッター板の左右方向中間部の室内側に中柱を立設し、この中柱の上下端はシャッター枠の上枠と下枠又はコンクリート基礎に設けたブラケットに着脱自在に固定され、この中柱と前記高強度スラットとの間に、中柱と高強度スラットに対して共に着脱自在に係合され且つ係合状態で中柱に対して高強度スラットを固定する固定部材を設け、この固定部材は、中柱の側溝にスライド可能に係合される第１スライド板と、前記高強度スラットの裏面溝にスライド可能に係合される第２スライド板と、第１スライド板と第２スライド板とを締付固定することにより高強度スラットを中柱に固定する締付固定具とを有していることを特徴とするシャッター。
【発明の詳細な説明】
【０００１】
【発明の属する技術分野】
本発明は、シャッターに係り、特に耐風性の向上を図ったシャッターに関する。
【０００２】
【従来の技術】
建物の窓や出入口等の開口に設けられるシャッターは、建物の開口に設けられシャッター板の両側端部を昇降自在に支持するガイドレールを有するシャッター枠と、このシャッター枠の上部に設けられシャッター板を巻取り収納するシャッターボックスとを備えている。
【０００３】
ところで、幅の広いタイプやサイズの大きいシャッターにおいては、台風のような強い風が吹くときには、風圧でシャッターが室内外側へ押されて、大きく撓むおそれがある。そこで、そのような強風のおそれのある場合には、シャッター板の左右方向中間部の室内もしくは室外側に中柱を立てて、室内側からシャッター板を補強するようにしている。
【０００４】
【発明が解決しようとする課題】
しかしながら、前記シャッターにおいては、単に室内側に中柱を立てるだけであったので、台風等の強風によりシャッター板がばたつくおそれがあった。
【０００５】
本発明は、前記事情を考慮してなされてもので、強風時のシャッター板のばたつきを防止することができ、耐風性の向上が図れるシャッターを提供することを目的とする。
【０００６】
【課題を解決するための手段】
本発明は、建物の開口に設けられシャッター板の両側端部を昇降自在に支持するガイドレールを有するシャッター枠と、このシャッター枠の上部に設けられシャッター板を巻取り収納するシャッターボックスとを備え、前記シャッター板は多数枚のスラットのうちの閉鎖時の開口高さ方向中間領域に位置する何枚かは押し出し成形品の高強度スラットとされ、シャッター板の左右方向中間部の室内側に中柱を立設し、この中柱の上下端はシャッター枠の上枠と下枠又はコンクリート基礎に設けたブラケットに着脱自在に固定され、この中柱と前記高強度スラットとの間に、中柱と高強度スラットに対して共に着脱自在に係合され且つ係合状態で中柱に対して高強度スラットを固定する固定部材を設け、この固定部材は、中柱の側溝にスライド可能に係合される第１スライド板と、前記高強度スラットの裏面溝にスライド可能に係合される第２スライド板と、第１スライド板と第２スライド板とを締付固定することにより高強度スラットを中柱に固定する締付固定具とを有していることを特徴とする。
【０００８】
【実施の形態】
以下に、本発明の実施の形態を添付図面に基づいて詳述する。図１はシャッターの概略構成を示す斜視図、図２はシャッター枠の分解斜視図である。
【０００９】
図１ないし図２に示すように、このシャッター１０は、水平に細長いスラット１１をよろい状に縦方向につないでなるシャッター板１２と、建物の開口に設けられシャッター板１２の両側端部を昇降自在に支持するガイドレール２０を有するシャッター枠１４と、このシャッター枠１４の上部に設けられシャッター板１２を巻取り収納するシャッターボックス１３とから主に構成されている。
【００１０】
シャッター板１２を構成するスラット１１は、大半が鋼板の曲げ加工品よりなるものの、シャッター板１２を閉じたときに高さ方向の中間領域に位置する何枚かは、アルミニウム形材（押し出し成形品）の高強度スラット１１Ａとされている。また、シャッター板１２の先端部（下端部）には、このシャッター板１２を先導するエンドスラット１１Ｂが設けられている。
【００１１】
前記シャッターボックス１３は、横長の箱状に形成されており、その内部にはシャッター板１２を巻取るための巻取ドラム（図示されず）が設けられている。シャッターボックス１３の下面は開口されており、この開口を塞ぐようにカバー材１５が着脱自在に取付けられている。
【００１２】
前記シャッター枠１４は、例えばアルミニウム合金の押出形材からなる上枠１６、下枠１７および左右の縦枠１８，１８により四方枠状に組立てられ、両縦枠１８，１８の室外面にガイドレール２０が着脱可能に取付けられている。また、図示例のシャッター１０は、サッシ５０の室外側に設けられるタイプであり、シャッター枠１４とサッシ枠５１が一体に形成されたタイプとされているが、シャッター枠１４の内側にサッシ枠５１を別体で設けるタイプとされていてもよい。
【００１３】
サッシ枠５１は、例えばアルミニウム合金の押出形材からなる上枠５３、下枠５４、および左右の縦枠６０、６０により四方枠状に組立てられている。このサッシ枠５１は、建物の開口に取付けられる。また、サッシ枠５１内には、図６に示すように、障子５２ａ、５２ｂが引き違いに開閉可能に設けられている。
【００１４】
ガイドレール２０には、エンドスラット１１Ｂの両側端部およびシャッター板１２の両側端部を上下方向に昇降自在に案内するガイド溝２１が設けられている。ガイドレール２０は、例えばアルミニウム合金の押出形材からなり、断面略コ字状に形成されている。左右のガイドレール２０、２０は、ガイド溝２１の開口部分を対向させた姿勢で、シャッター枠１４の縦枠１８（本実施の形態の場合、シャッター枠１４とサッシ枠５１が一体であるため、サッシ枠５１の縦枠６０といってもよい。）の室外面に着脱可能に取付けられている。なお、ガイドレール２０は、シャッター枠１４の縦枠１８に一体形成されていてもよい。
【００１５】
図３は、台風等の強風時に必要に応じてシャッター板１２の左右幅方向の中間位置に立設される中柱１００と、高強度スラット１１Ａの関係を示す分解斜視図である。また、図４は中柱１００の上端の係合構造、図５は中柱１００の下端の係合構造を示す側面図である。
【００１６】
図３に示すように、中柱１００は、例えばアルミニウム合金の押出形材からなり、その上下端にはサッシ枠１４に対して着脱自在に固定するための係合金具１１０、１２０が設けられている。
【００１７】
中柱１００は、図６に示すように、室外側に位置する外面板１０１と室内側に位置する内面板１０２を２枚の平行な連結板１０３、１０３でつないだ断面形状を備えており、２枚の連結板１０３、１０３と外面板１０１及び内面板１０２とで形成した閉じた矩形断面部１０５を有する。矩形断面部１０５より外側に突出した外面板１０１と内面板１０２との間には側溝１０４が形成されており、側溝１０４の内側面をなす外面板１０１の内面側には、長手方向に連続した係合溝１０６が形成されている。
【００１８】
中柱１００の上端の係合金具１１０は、図４に示すように、シャッター上枠１６に裏板１１２とビス１１３により取付けたブラケット１１１に差し込み係合できるように構成され、下端の係合金具１２０は、いわゆる落し錠のようになっており、図５に示すように、シャッター下枠１７に裏板１２２とビス１２３により取付けたブラケット１２１に差し込み係合できるようになっている。
【００１９】
このシャッター１０は、このように立設した中柱１００に対して、高強度スラット１１Ａを固定部材２００により適宜固定できるようになっている。固定部材２００は、図３および図６並びに図７に示すように、第１スライド板２０１と第２スライド板２０２とをスペーサ２０４を介して締付固定具であるビス２０３で連結したものである。
【００２０】
第１スライド板２０１は中柱１００に係合されるもので、一端側に、中柱１００の側溝１０４に挿入されることで側溝１０４内の係合溝１０６にスライド可能に係合する係合部であるフック部２０１ａを有している。この第１のスライド板２０１の他端側が第２スライド板２０２にビス２０３で締付可能に連結されている。
【００２１】
第２スライド板２０２は、高強度スラット１１Ａの裏面溝であるスライド係合溝１１ｍにスライド可能に嵌合されるもので、単なる矩形板状をなしている。第２スライド板２０２を係合する対象の高強度スラット１１Ａの裏面部（室内面部）には、アリ溝形のスライド係合溝１１ｍが長手方向（左右方向）に沿って形成されている。
【００２２】
また、高強度スラット１１Ａの裏面部には、固定部材２００の第２スライド板２０２を挿入するための切欠部（挿入口）１１ｃが設けられている。この切欠１１ｃは、中柱１００と干渉しない位置に設けられている。
【００２３】
前記固定部材２００は、第２のスライド板２０２をシャッター板１２の高強度スラット１１Ａのスライド係合溝１１ｍに嵌めることにより左右方向にスライド移動することができ、また、第１のスライド板２０１のフック部２０１ａを中柱１００の側溝１０４から係合溝１０６の長手方向（高さ方向）の対応する任意の位置に係合させることができる。また、固定部材２００は、第２のスライド板２０２と第１のスライド板２０１を予めビス２０３で緩く連結しておくことにより、中柱１００の係合溝１０６に対する第１のスライド板２０１のフック部２０１ａの挿入を容易に行うことができ、ビス２０３を工具（ドライバー）で締め付けることにより、第１のスライド板２０１と第２のスライド板２０２を互いに締付固定して、シャッター板１２の高強度スラット１１Ａと中柱１００を接合固定することができる。なお、中柱１００の室外面には、軟質樹脂製の緩衝材１０７が設けられていることが好ましい。
【００２４】
次に、以上の構成からなるシャッターの作用を述べる。台風等の強風時には、まず、シャッター板１２をシャッターヘッド１３から巻き降ろして閉鎖し、シャッター板１２の室内側に、上下端の係合金具１１０，１２０をシャッター枠１４の上枠１６および下枠１７のブラケット１１１，１２１に係合させて中柱１００を立設する。次いで、固定部材２００の第２スライド板２０２を、高強度スラット１１Ａの裏面の切欠１１ｃからスライド係合溝１１ｍに嵌め込み、固定部材２００を中柱１００の近くまでスライドさせる。
【００２５】
次に、固定部材２００のビス２０３を緩めた状態で、第１スライド板２０１のフック部２０１ａを、中柱１００の側面の側溝１０４から内部の係合溝１０６に係合させる。その状態で、ビス２０３を締めて第１スライド板２０１と第２スライド板２０２とを強く締結する。これにより、図６、図７に示すように、固定部材２００を介して高強度スラット１１Ａを中柱１００に固定することができ、強風によるシャッター１２のばたつきを抑制ないし防止することができる。
【００２６】
この場合、鋼板製のスラット１１ではなく、高強度スラット１１Ａを中柱１００に固定するので、無理な変形を防止しながら、確実にシャッター１２のばたつきを押さえることができる。また、装着当初に、固定部材２００を、高強度スラット１１Ａおよび中柱１００に対して自由にスライドできるように構成しているので、シャッター板１２の寸法や中柱１００の高さや位置によらず、固定部材２００を用いてシャッター板１２を確実に固定することができる。
【００２７】
以上、本発明の実施の形態を図面により詳述してきたが、本発明は前記実施の形態に限定されるものではなく、本発明の要旨を逸脱しない範囲での種々の設計変更等が可能である。例えば、前記サッシ５０は、引き違い式に限定されず、片引き式等であってもよい。固定部材２００の形状や中柱１００の断面形状は任意に変更することができる。固定部材２００は、中柱１００の左右の側溝１０４，１０４のいずれに係合させてもよい。
【００２８】
また、固定部材２００を２個用いて、中柱１００の左右の側溝１０４，１０４に固定部材２００をそれぞれ係合させてもよい。中柱は、１本に限定されず、左右方向に適宜間隔で複数本立設してもよい。固定部材は、中柱の高さ方向に適宜間隔（高強度スラットの間隔）で複数使用してもよい。また、前記実施の形態では、シャッターがサッシと組み合わされているが、サッシと組み合わせないシャッター単体であってもよい。この場合、シャッター枠は、少なくとも上枠と左右の縦枠からなっていてもよい。シャッター枠が下枠を有しない場合には、中柱の下端をコンクリート基礎等に埋設したブラケットに係合固定すればよい。
【００２９】
【発明の効果】
以上要するに本発明によれば、次のような効果を奏することができる。
【００３０】
（１）本発明によれば、建物の開口に設けられシャッター板の両側端部を昇降自在に支持するガイドレールを有するシャッター枠と、このシャッター枠の上部に設けられシャッター板を巻取り収納するシャッターボックスとを備え、前記シャッター板は多数枚のスラットのうちの閉鎖時の開口高さ方向中間領域に位置する何枚かは押し出し成形品の高強度スラットとされ、シャッター板の左右方向中間部の室内側に中柱を立設し、この中柱の上下端はシャッター枠の上枠と下枠又はコンクリート基礎に設けたブラケットに着脱自在に固定され、この中柱と前記高強度スラットとの間に、中柱と高強度スラットに対して共に着脱自在に係合され且つ係合状態で中柱に対して高強度スラットを固定する固定部材を設け、この固定部材は、中柱の側溝にスライド可能に係合される第１スライド板と、前記高強度スラットの裏面溝にスライド可能に係合される第２スライド板と、第１スライド板と第２スライド板とを締付固定することにより高強度スラットを中柱に固定する締付固定具とを有しているため、固定部材によりシャッター板を中柱に容易に固定することができ、台風等の強風時のシャッター板のばたつきを防止することができ、耐風性の向上が図れる。
【図面の簡単な説明】
【図１】本発明の実施の形態を示すシャッターの概略斜視図である。
【図２】図１のシャッターにおけるシャッター枠の分解斜視図である。
【図３】図２のシャッター枠に設けられる中柱と高強度スラットとの関係を示す分解斜視図である。
【図４】前記中柱の上端の係合構造を示す側面図である。
【図５】前記中柱の下端の係合構造を示す側面図である。
【図６】前記シャッターの横断面図である。
【図７】図６のＡ−Ａ矢視断面図である。
【符号の説明】
１１  スラット
１１Ａ  高強度スラット
１２  シャッター板
１３  シャッターボックス
１４  シャッター枠
１００  中柱
２００  固定部材
【図１】
0003612466.tif 000002
【図２】
0003612466.tif 000003
【図３】
0003612466.tif 000004
【図４】
0003612466.tif 000005
【図５】
0003612466.tif 000006
【図６】
0003612466.tif 000007
【図７】
0003612466.tif 000008